(57)【特許請求の範囲】
【請求項１】
撮像光学レンズであって、
物体側から像側に向かって、順に、正の屈折力を有する第１レンズ、負の屈折力を有する第２レンズ、正の屈折力を有する第３レンズ、負の屈折力を有する第４レンズ、正の屈折力を有する第５レンズ、及び負の屈折力を有する第６レンズから構成され、
そのうち、前記第５レンズの焦点距離をｆ５、前記第６レンズの焦点距離をｆ６、前記第４レンズの像側の面から前記第５レンズの物体側の面までの軸上距離をｄ８、前記第５レンズの像側の面から前記第６レンズの物体側の面までの軸上距離をｄ１０にしたときに、以下の関係式を満たすことを特徴とする撮像光学レンズ。
−１０．００≦ｆ６／ｆ５≦−２．５０
３．００≦ｄ８／ｄ１０≦１０．００
【請求項２】
前記第４レンズの物体側の面の中心曲率半径をＲ７、前記第４レンズの像側の面の中心曲率半径をＲ８にしたときに、以下の関係式を満たすことを特徴とする請求項１に記載の撮像光学レンズ。
２．００≦（Ｒ７＋Ｒ８）／（Ｒ７−Ｒ８）≦１５．００
【請求項３】
前記撮像光学レンズの焦点距離をｆ、前記第４レンズの焦点距離をｆ４にしたときに、以下の関係式を満たすことを特徴とする請求項１に記載の撮像光学レンズ。
−５．００≦ｆ４／ｆ≦−１．５０
【請求項４】
前記撮像光学レンズの焦点距離をｆ、前記第１レンズの焦点距離をｆ１、前記第１レンズの物体側の面の中心曲率半径をＲ１、前記第１レンズの像側の面の中心曲率半径をＲ２、前記第１レンズの軸上厚みをｄ１、前記撮像光学レンズの光学全長をＴＴＬにしたときに、以下の関係式を満たすことを特徴とする請求項１に記載の撮像光学レンズ。
０．２１≦ｆ１／ｆ≦０．６５
−１．０５≦（Ｒ１＋Ｒ２）／（Ｒ１−Ｒ２）≦−０．３４
０．０７≦ｄ１／ＴＴＬ≦０．２２
【請求項５】
前記撮像光学レンズの焦点距離をｆ、前記第２レンズの焦点距離をｆ２、前記第２レンズの物体側の面の中心曲率半径をＲ３、前記第２レンズの像側の面の中心曲率半径をＲ４、前記第２レンズの軸上厚みをｄ３、前記撮像光学レンズの光学全長をＴＴＬにしたときに、以下の関係式を満たすことを特徴とする請求項１に記載の撮像光学レンズ。
−１．０４≦ｆ２／ｆ≦−０．３４
１．３５≦（Ｒ３＋Ｒ４）／（Ｒ３−Ｒ４）≦４．２２
０．０２≦ｄ３／ＴＴＬ≦０．０７
【請求項６】
前記撮像光学レンズの焦点距離をｆ、前記第３レンズの焦点距離をｆ３、前記第３レンズの物体側の面の中心曲率半径をＲ５、前記第３レンズの像側の面の中心曲率半径をＲ６、前記第３レンズの軸上厚みをｄ５、前記撮像光学レンズの光学全長をＴＴＬにしたときに、以下の関係式を満たすことを特徴とする請求項１に記載の撮像光学レンズ。
１．５９≦ｆ３／ｆ≦１３．０８
−０．２３≦（Ｒ５＋Ｒ６）／（Ｒ５−Ｒ６）≦１．１７
０．０３≦ｄ５／ＴＴＬ≦０．０９
【請求項７】
前記第４レンズの軸上厚みをｄ７、前記撮像光学レンズの光学全長をＴＴＬにしたときに、以下の関係式を満たすことを特徴とする請求項１に記載の撮像光学レンズ。
０．０１≦ｄ７／ＴＴＬ≦０．１０
【請求項８】
前記撮像光学レンズの焦点距離をｆ、前記第５レンズの物体側の面の中心曲率半径をＲ９、前記第５レンズの像側の面の中心曲率半径をＲ１０、前記第５レンズの軸上厚みをｄ９、前記撮像光学レンズの光学全長をＴＴＬにしたときに、以下の関係式を満たすことを特徴とする請求項１に記載の撮像光学レンズ。
０．５３≦ｆ５／ｆ≦１．８５
０．６３≦（Ｒ９＋Ｒ１０）／（Ｒ９−Ｒ１０）≦２．７０
０．０５≦ｄ９／ＴＴＬ≦０．１６
【請求項９】
前記撮像光学レンズの焦点距離をｆ、前記第６レンズの物体側の面の中心曲率半径をＲ１１、前記第６レンズの像側の面の中心曲率半径をＲ１２、前記第６レンズの軸上厚みをｄ１１、前記撮像光学レンズの光学全長をＴＴＬにしたときに、以下の関係式を満たすことを特徴とする請求項１に記載の撮像光学レンズ。
−２３．５６≦ｆ６／ｆ≦−１．７８
−２２．８６≦（Ｒ１１＋Ｒ１２）／（Ｒ１１−Ｒ１２）≦−３．９５
０．０５≦ｄ１１／ＴＴＬ≦０．１６
【請求項１０】
前記撮像光学レンズの光学全長をＴＴＬ、前記撮像光学レンズの最大像高をＩＨにしたときに、以下の関係式を満たすことを特徴とする請求項１に記載の撮像光学レンズ。
ＴＴＬ／ＩＨ≦２．３５
【発明の詳細な説明】
【技術分野】
【０００１】
本発明は、光学レンズの分野に関し、特に、スマートフォン、デジタルカメラ等の携帯端末装置、モニター、ＰＣレンズ等の撮像装置に適用される撮像光学レンズに関する。
【背景技術】
【０００２】
近年、スマートフォンの登場に伴い、小型化の撮像レンズに対するニーズがますます高まっているが、一般的な撮像レンズの感光素子は、通常、感光結合素子（Ｃｈａｒｇｅ  Ｃｏｕｐｌｅｄ  Ｄｅｖｉｃｅ、ＣＣＤ）又は相補型金属酸化物半導体素子（Ｃｏｍｐｌｅｍｅｎｔａｒｙ  Ｍｅｔａｌ−Ｏｘｉｄｅ  Ｓｅｍｉｃｏｎｄｃｔｏｒ  Ｓｅｎｓｏｒ、ＣＭＯＳ  Ｓｅｎｓｏｒ）の２種類程度しかなく、また、半導体製造工程技術の向上により、感光素子の画素サイズが縮小され、さらに、現在の電子製品は、優れた機能及び軽量化・薄型化・小型化の外観への要求が高まっているので、良好な結像品質を有する小型化の撮像レンズは、現在の市場において既に主流となっている。
【０００３】
優れた結像品質を得るために、携帯電話のカメラに搭載される従来のレンズは、３枚式又は４枚式のレンズ構造を用いることが多い。しかしながら、技術の進化及びユーザの多様化ニーズの増加に伴い、感光素子の画素面積が縮小しつつあり、システムの結像品質に対する要求が高くなってきているなか、６枚式のレンズ構造も徐々にレンズの設計に現れている。一般的な６枚のレンズは既に良好な光学性能を有するが、その屈折力、レンズピッチ及びレンズ形状は依然としてある程度の不合理的なところがあり、その結果としてレンズの構造は良好な光学性能を有するものの、大絞り、長焦点距離、極薄化の設計要件を満たすことができない。
【発明の概要】
【発明が解決しようとする課題】
【０００４】
本発明は、上記の問題点に鑑みてなされたものであり、良好な光学性能を有すると共に、大絞り、長焦点距離、極薄化の設計要件を満たすことができる撮像光学レンズを提供することを目的とする。
【課題を解決するための手段】
【０００５】
上記の技術的課題を解決するために、本発明の実施形態には、撮像光学レンズが提供され、前記撮像光学レンズは、合計６枚のレンズを備え、前記６枚のレンズは、物体側から像側に向かって、順に、正の屈折力を有する第１レンズ、負の屈折力を有する第２レンズ、正の屈折力を有する第３レンズ、負の屈折力を有する第４レンズ、正の屈折力を有する第５レンズ、及び負の屈折力を有する第６レンズであり、
そのうち、前記第５レンズの焦点距離をｆ５、前記第６レンズの焦点距離をｆ６、前記第４レンズの像側の面から前記第５レンズの物体側の面までの軸上距離をｄ８、前記第５レンズの像側の面から前記第６レンズの物体側の面までの軸上距離をｄ１０にしたときに、以下の関係式を満たす。
−１０．００≦ｆ６／ｆ５≦−２．５０
３．００≦ｄ８／ｄ１０≦１０．００
【０００６】
好ましくは、前記第４レンズの物体側の面の中心曲率半径をＲ７、前記第４レンズの像側の面の中心曲率半径をＲ８にしたときに、以下の関係式を満たす。
２．００≦（Ｒ７＋Ｒ８）／（Ｒ７−Ｒ８）≦１５．００
【０００７】
好ましくは、前記撮像光学レンズの焦点距離をｆ、前記第４レンズの焦点距離をｆ４にしたときに、以下の関係式を満たす。
−５．００≦ｆ４／ｆ≦−１．５０
【０００８】
好ましくは、前記撮像光学レンズの焦点距離をｆ、前記第１レンズの焦点距離をｆ１、前記第１レンズの物体側の面の中心曲率半径をＲ１、前記第１レンズの像側の面の中心曲率半径をＲ２、前記第１レンズの軸上厚みをｄ１、前記撮像光学レンズの光学全長をＴＴＬにしたときに、以下の関係式を満たす。
０．２１≦ｆ１／ｆ≦０．６５
−１．０５≦（Ｒ１＋Ｒ２）／（Ｒ１−Ｒ２）≦−０．３４
０．０７≦ｄ１／ＴＴＬ≦０．２２
【０００９】
好ましくは、前記撮像光学レンズの焦点距離をｆ、前記第２レンズの焦点距離をｆ２、前記第２レンズの物体側の面の中心曲率半径をＲ３、前記第２レンズの像側の面の中心曲率半径をＲ４、前記第２レンズの軸上厚みをｄ３、前記撮像光学レンズの光学全長をＴＴＬにしたときに、以下の関係式を満たす。
−１．０４≦ｆ２／ｆ≦−０．３４
１．３５≦（Ｒ３＋Ｒ４）／（Ｒ３−Ｒ４）≦４．２２
０．０２≦ｄ３／ＴＴＬ≦０．０７
【００１０】
好ましくは、前記撮像光学レンズの焦点距離をｆ、前記第３レンズの焦点距離をｆ３、前記第３レンズの物体側の面の中心曲率半径をＲ５、前記第３レンズの像側の面の中心曲率半径をＲ６、前記第３レンズの軸上厚みをｄ５、前記撮像光学レンズの光学全長をＴＴＬにしたときに、以下の関係式を満たす。
１．５９≦ｆ３／ｆ≦１３．０８
−０．２３≦（Ｒ５＋Ｒ６）／（Ｒ５−Ｒ６）≦１．１７
０．０３≦ｄ５／ＴＴＬ≦０．０９
【００１１】
好ましくは、前記第４レンズの軸上厚みをｄ７、前記撮像光学レンズの光学全長をＴＴＬにしたときに、以下の関係式を満たす。
０．０１≦ｄ７／ＴＴＬ≦０．１０
【００１２】
好ましくは、前記撮像光学レンズの焦点距離をｆ、前記第５レンズの物体側の面の中心曲率半径をＲ９、前記第５レンズの像側の面の中心曲率半径をＲ１０、前記第５レンズの軸上厚みをｄ９、前記撮像光学レンズの光学全長をＴＴＬにしたときに、以下の関係式を満たす。
０．５３≦ｆ５／ｆ≦１．８５
０．６３≦（Ｒ９＋Ｒ１０）／（Ｒ９−Ｒ１０）≦２．７０
０．０５≦ｄ９／ＴＴＬ≦０．１６
【００１３】
好ましくは、前記撮像光学レンズの焦点距離をｆ、前記第６レンズの物体側の面の中心曲率半径をＲ１１、前記第６レンズの像側の面の中心曲率半径をＲ１２、前記第６レンズの軸上厚みをｄ１１、前記撮像光学レンズの光学全長をＴＴＬにしたときに、以下の関係式を満たす。
−２３．５６≦ｆ６／ｆ≦−１．７８
−２２．８６≦（Ｒ１１＋Ｒ１２）／（Ｒ１１−Ｒ１２）≦−３．９５
０．０５≦ｄ１１／ＴＴＬ≦０．１６
【００１４】
好ましくは、前記撮像光学レンズの光学全長をＴＴＬ、前記撮像光学レンズの像高をＩＨにしたときに、以下の関係式を満たす。
ＴＴＬ／ＩＨ≦２．３５
【発明の効果】
【００１５】
本発明の有益な効果は下記の通りである。
【００１６】
本発明によれば、本発明の撮像光学レンズは、優れた光学性能を有すると共に、大絞り、長焦点距離、極薄化の特性を有し、特に高画素用のＣＣＤ、ＣＭＯＳ等の撮像素子から構成される携帯電話の撮像レンズ部品とＷＥＢ撮像レンズに適用することができる。
【図面の簡単な説明】
【００１７】
本発明の実施形態における技術考案をより明確に説明するために、以下、実施形態の記載に必要な図面を簡単に説明する。明らかに、以下に記載された図面は本発明の幾つかの実施形態に過ぎず、当業者にとっては、発明的努力をしなくても、これらの図面に基づいて他の図面を得ることもでき、そのうち、
【図１】図１は、本発明の第１実施形態に係る撮像光学レンズの構造を示す図である。
【図２】図２は、図１に示す撮像光学レンズの球面収差を示す図である。
【図３】図３は、図１に示す撮像光学レンズの倍率色収差を示す図である。
【図４】図４は、図１に示す撮像光学レンズの像面湾曲及び歪曲収差を示す図である。
【図５】図５は、本発明の第２実施形態に係る撮像光学レンズの構造を示す図である。
【図６】図６は、図５に示す撮像光学レンズの球面収差を示す図である。
【図７】図７は、図５に示す撮像光学レンズの倍率色収差を示す図である。
【図８】図８は、図５に示す撮像光学レンズの像面湾曲及び歪曲収差を示す図である。
【図９】図９は、本発明の第３実施形態に係る撮像光学レンズの構造を示す図である。
【図１０】図１０は、図９に示す撮像光学レンズの球面収差を示す図である。
【図１１】図１１は、図９に示す撮像光学レンズの倍率色収差を示す図である。
【図１２】図１２は、図９に示す撮像光学レンズの像面湾曲及び歪曲収差を示す図である。
【発明を実施するための形態】
【００１８】
本発明の目的、技術考案及び利点をより明確にするために、以下、図面を参照しながら本発明の各実施形態を詳しく説明する。しかしながら、本発明の各実施形態において、本発明に対する理解を便宜にするために、多くの技術的細部まで記載されているが、これらの技術的細部及び以下の各実施形態に基づく種々の変化及び修正がなくても、本発明が保護しようとする技術考案を実現可能であることは、当業者にとっては自明なことである。
【００１９】
（第１実施形態）
図面を参照すると、本発明には、撮像光学レンズ１０が提供される。図１に示されたのは、本発明の第１実施形態に係る撮像光学レンズ１０である。当該撮像光学レンズ１０は、合計６枚のレンズを備え、具体的に、上記の撮像光学レンズ１０は、物体側から像側に向かって、順に、絞りＳ１、第１レンズＬ１、第２レンズＬ２、第３レンズＬ３、第４レンズＬ４、第５レンズＬ５及び第６レンズＬ６を含む。第６レンズＬ６と像面Ｓｉとの間には、光学フィルター（ｆｉｌｔｅｒ）ＧＦ等の光学素子が設けられてもよい。
【００２０】
本実施形態において、第１レンズＬ１は正の屈折力を有し、第２レンズＬ２は負の屈折力を有し、第３レンズＬ３は正の屈折力を有し、第４レンズＬ４は負の屈折力を有し、第５レンズＬ５は正の屈折力を有し、第６レンズＬ６は負の屈折力を有する。
【００２１】
本実施形態において、第１レンズＬ１の材質がプラスチックであり、第２レンズＬ２の材質がプラスチックであり、第３レンズＬ３の材質がプラスチックであり、第４レンズＬ４の材質がプラスチックであり、第５レンズＬ５の材質がプラスチックであり、第６レンズＬ６の材質がプラスチックである。他の実施形態において、各レンズは他の材質であってもよい。
【００２２】
本実施形態において、上記の第５レンズＬ５の焦点距離をｆ５、上記の第６レンズＬ６の焦点距離をｆ６にしたときに、−１０．００≦ｆ６／ｆ５≦−２．５０の関係式が設立され、第６レンズＬ６の焦点距離ｆ６と第５レンズＬ５の焦点距離ｆ５との比が規定されており、この関係式の範囲内にあると、結像品質を向上させることに寄与する。
【００２３】
上記の第４レンズＬ４の像側の面から上記の第５レンズＬ５の物体側の面までの軸上距離をｄ８、上記の第５レンズＬ５の像側の面から上記の第６レンズＬ６の物体側の面までの軸上距離をｄ１０にしたときに、３．００≦ｄ８／ｄ１０≦１０．００の関係式が設立され、上記の第４レンズＬ４の像側の面から上記の第５レンズＬ５の物体側の面までの軸上距離ｄ８と、上記の第５レンズＬ５の像側の面から上記の第６レンズＬ６の物体側の面までの軸上距離ｄ１０との比が規定されている。ｄ８／ｄ１０が上記の条件を満たす場合、第５レンズＬ５の位置を効果的に配置することができ、レンズを組み立てることに寄与する。また、３．０１≦ｄ８／ｄ１０≦９．９７であることが好ましい。
【００２４】
上記の第４レンズＬ４の物体側の面の中心曲率半径をＲ７、上記の第４レンズＬ４の像側の面の中心曲率半径をＲ８にしたときに、２．００≦（Ｒ７＋Ｒ８）／（Ｒ７−Ｒ８）≦１５．００の関係式が設立され、第４レンズＬ４の形状が規定されている。この関係式に規定された範囲内にあると、像面湾曲を効果的に補正し、結像品質を向上させることができる。
【００２５】
上記の撮像光学レンズ１０の焦点距離をｆ、上記の第４レンズＬ４の焦点距離をｆ４にしたときに、−５．００≦ｆ４／ｆ≦−１．５０の関係式が設立され、第４レンズＬ４の焦点距離ｆ４と撮像光学レンズ１０の焦点距離ｆとの比が規定されている。この関係式に規定された範囲内にあると、収差を補正することに寄与し、画質を向上させることができる。また、−４．７９≦ｆ４／ｆ≦−１．５６であることが好ましい。
【００２６】
本実施形態において、第１レンズＬ１について、その物体側の面が近軸において凸面に形成され、像側の面が近軸において凸面に形成される。
【００２７】
上記の撮像光学レンズ１０の焦点距離をｆ、上記の第１レンズＬ１の焦点距離をｆ１にしたときに、０．２１≦ｆ１／ｆ≦０．６５の関係式が設立され、第１レンズＬ１の焦点距離ｆ１と撮像光学レンズ１０の焦点距離ｆとの比が規定されている。この規定された範囲内にあると、第１レンズＬ１が適宜正の屈折力を有することで、システムの収差を低減させると共に、レンズの極薄化が進むことに有利である。また、０．３４≦ｆ１／ｆ≦０．５２であることが好ましい。
【００２８】
上記の第１レンズＬ１の物体側の面の中心曲率半径をＲ１、上記の第１レンズＬ１の像側の面の中心曲率半径をＲ２にしたときに、−１．０５≦（Ｒ１＋Ｒ２）／（Ｒ１−Ｒ２）≦−０．３４の関係式が設立される。第１レンズＬ１の形状を合理的に制御することで、第１レンズＬ１はシステムの球面収差を効果的に補正することができる。また、−０．６５≦（Ｒ１＋Ｒ２）／（Ｒ１−Ｒ２）≦−０．４３であることが好ましい。
【００２９】
上記の第１レンズＬ１の軸上厚みをｄ１、撮像光学レンズ１０の光学全長をＴＴＬにしたときに、０．０７≦ｄ１／ＴＴＬ≦０．２２の関係式が設立される。この関係式の範囲内にあると、極薄化の実現に有利である。また、０．１１≦ｄ１／ＴＴＬ≦０．１７であることが好ましい。
【００３０】
本実施形態において、第２レンズＬ２について、その物体側の面が近軸において凸面に形成され、像側の面が近軸において凹面に形成される。
【００３１】
上記の撮像光学レンズ１０の焦点距離をｆ、上記の第２レンズＬ２の焦点距離をｆ２にしたときに、−１．０４≦ｆ２／ｆ≦−０．３４の関係式が設立され、第２レンズＬ２の負の屈折力を合理的な範囲内に制御することで、光学系の収差を補正することに有利である。また、−０．６５≦ｆ２／ｆ≦−０．４２であることが好ましい。
【００３２】
上記の第２レンズＬ２の物体側の面の中心曲率半径をＲ３、上記の第２レンズＬ２の像側の面の中心曲率半径をＲ４にしたときに、１．３５≦（Ｒ３＋Ｒ４）／（Ｒ３−Ｒ４）≦４．２２の関係式が設立され、第２レンズＬ２の形状が規定されている。この関係式の範囲内にあると、レンズの極薄化が進むに従って、軸上色収差の問題の補正に有利である。また、２．１６≦（Ｒ３＋Ｒ４）／（Ｒ３−Ｒ４）≦３．３８であることが好ましい。
【００３３】
上記の第２レンズＬ２の軸上厚みをｄ３、上記の撮像光学レンズ１０の光学全長をＴＴＬにしたときに、０．０２≦ｄ３／ＴＴＬ≦０．０７の関係式が設立される。この関係式の範囲内にあると、極薄化の実現に有利である。また、０．０４≦ｄ３／ＴＴＬ≦０．０５であることが好ましい。
【００３４】
本実施形態において、第３レンズＬ３について、その物体側の面が近軸において凸面に形成され、像側の面が近軸において凸面に形成される。
【００３５】
上記の撮像光学レンズ１０の焦点距離をｆ、上記の第３レンズＬ３の焦点距離をｆ３にしたときに、１．５９≦ｆ３／ｆ≦１３．０８の関係式が設立され、屈折力を適切に配分することにより、システムとして、優れた結像品質及び低い感度を有する。また、２．５５≦ｆ３／ｆ≦１０．４６であることが好ましい。
【００３６】
上記の第３レンズＬ３の物体側の面の中心曲率半径をＲ５、上記の第３レンズＬ３の像側の面の中心曲率半径をＲ６にしたときに、−０．２３≦（Ｒ５＋Ｒ６）／（Ｒ５−Ｒ６）≦１．１７の関係式が設立され、第３レンズＬ３の形状が規定されている。この関係式の範囲内にあると、レンズを通過する光線のずれの程度を緩和し、収差を有効的に減少させることができる。また、−０．１４≦（Ｒ５＋Ｒ６）／（Ｒ５−Ｒ６）≦０．９４であることが好ましい。
【００３７】
上記の第３レンズＬ３の軸上厚みをｄ５、上記の撮像光学レンズ１０の光学全長をＴＴＬにしたときに、０．０３≦ｄ５／ＴＴＬ≦０．０９の関係式が設立される。この関係式の範囲内にあると、極薄化の実現に有利である。また、０．０５≦ｄ５／ＴＴＬ≦０．０７であることが好ましい。
【００３８】
本実施形態において、第４レンズＬ４について、その物体側の面が近軸において凸面に形成され、像側の面が近軸において凹面に形成される。
【００３９】
上記の第４レンズＬ４の軸上厚みをｄ７、上記の撮像光学レンズ１０の光学全長をＴＴＬにしたときに、０．０１≦ｄ７／ＴＴＬ≦０．１０の関係式が設立される。この関係式の範囲内にあると、極薄化の実現に有利である。また、０．０２≦ｄ７／ＴＴＬ≦０．０８であることが好ましい。
【００４０】
本実施形態において、第５レンズＬ５について、その物体側の面が近軸において凹面に形成され、像側の面が近軸において凸面に形成される。
【００４１】
上記の撮像光学レンズ１０の焦点距離をｆ、上記の第５レンズＬ５の焦点距離をｆ５にしたときに、０．５３≦ｆ５／ｆ≦１．８５の関係式が設立され、第５レンズＬ５を限定することで、撮像光学レンズ１０の光線角度を緩やかにし、公差感度を効果的に低減させることができる。また、０．８６≦ｆ５／ｆ≦１．４８であることが好ましい。
【００４２】
上記の第５レンズＬ５の物体側の面の中心曲率半径をＲ９、上記の第５レンズＬ５の像側の面の中心曲率半径をＲ１０にしたときに、０．６３≦（Ｒ９＋Ｒ１０）／（Ｒ９−Ｒ１０）≦２．７０の関係式が設立され、第５レンズＬ５の形状が規定されている。この関係式の範囲内にあると、極薄化が進むに従って、軸外画角の収差等の問題の補正に有利である。また、１．０１≦（Ｒ９＋Ｒ１０）／（Ｒ９−Ｒ１０）≦２．１６であることが好ましい。
【００４３】
上記の第５レンズＬ５の軸上厚みをｄ９、撮像光学レンズ１０の光学全長をＴＴＬにしたときに、０．０５≦ｄ９／ＴＴＬ≦０．１６の関係式が設立される。この関係式の範囲内にあると、極薄化の実現に有利である。また、０．０８≦ｄ９／ＴＴＬ≦０．１３であることが好ましい。
【００４４】
本実施形態において、第６レンズＬ６について、その物体側の面が近軸において凹面に形成され、像側の面が近軸において凸面に形成される。
【００４５】
上記の撮像光学レンズ１０の焦点距離をｆ、上記の第６レンズＬ６の焦点距離をｆ６にしたときに、−２３．５６≦ｆ６／ｆ≦−１．７８の関係式が設立され、屈折力を適切に配分することにより、システムとして、優れた結像品質及び低い感度を有する。また、−１４．７２≦ｆ６／ｆ≦−２．２３であることが好ましい。
【００４６】
上記の第６レンズＬ６の物体側の面の中心曲率半径をＲ１１、上記の第６レンズＬ６の像側の面の中心曲率半径をＲ１２にしたときに、−２２．８６≦（Ｒ１１＋Ｒ１２）／（Ｒ１１−Ｒ１２）≦−３．９５の関係式が設立され、第６レンズＬ６の形状が規定されている。この関係式の範囲内にあると、極薄化が進むに従って、軸外画角の収差等の問題の補正に有利である。また、−１４．２９≦（Ｒ１１＋Ｒ１２）／（Ｒ１１−Ｒ１２）≦−４．９３であることが好ましい。
【００４７】
上記の第６レンズＬ６の軸上厚みをｄ１１、上記の撮像光学レンズ１０の光学全長をＴＴＬにしたときに、０．０５≦ｄ１１／ＴＴＬ≦０．１６の関係式が設立される。この関係式の範囲内にあると、極薄化の実現に有利である。また、０．０８≦ｄ１１／ＴＴＬ≦０．１３であることが好ましい。
【００４８】
本実施形態において、上記の撮像光学レンズ１０の像高をＩＨ、上記の撮像光学レンズ１０の光学全長をＴＴＬにしたときに、ＴＴＬ／ＩＨ≦２．３５の関係式が設立される。これにより、極薄化の実現に有利である。
【００４９】
本実施形態において、上記の撮像光学レンズ１０の像高をＩＨ、上記の撮像光学レンズ１０の焦点距離をｆにしたときに、ｆ／ＩＨ≧２．２７の関係式が設立される。これにより、撮像光学レンズ１０は長い焦点距離を有する。
【００５０】
本実施形態において、上記の撮像光学レンズ１０の絞り値ＦＮＯは２．２６以下である。これにより、大絞りを実現し、撮像光学レンズ１０の結像性能が優れている。
【００５１】
上述した関係式を満たす場合、撮像光学レンズ１０は良好な光学性能を有すると共に、大絞り、長焦点距離、極薄化の設計要件を満たすことができる。当該撮像光学レンズ１０の特性によれば、当該撮像光学レンズ１０は特に高画素用のＣＣＤ、ＣＭＯＳ等の撮像素子から構成される携帯電話の撮像レンズ部品とＷＥＢ撮像レンズに適用することができる。
【００５２】
以下、実施例を用いて、本発明に係る撮像光学レンズ１０を説明する。各実施例に記載の符号は以下の通りである。焦点距離、軸上距離、中心曲率半径、軸上厚み、変曲点位置及び停留点位置の単位は、ｍｍである。
【００５３】
ＴＴＬ：光学全長（第１レンズＬ１の物体側の面から像面Ｓｉまでの軸上距離）、単位はｍｍである。
【００５４】
絞り値ＦＮＯ：撮像光学レンズの有効焦点距離と入射瞳径の比。
【００５５】
好ましくは、高品質な結像需要を満たすように、上記のレンズの物体側の面及び／又は像側の面に、変曲点及び／又は停留点がさらに設けられてもよい。具体的な実施案については、後述する。
【００５６】
表１、表２は、本発明の第１実施形態に係る撮像光学レンズ１０の設定データを示す。
【００５７】
【表１】
0006978575.tif 000002
【００５８】
ここで、各符号の意味は、以下の通りである。
Ｓ１    ：絞り
Ｒ      ：光学面の中心の曲率半径
Ｒ１    ：第１レンズＬ１の物体側の面の中心曲率半径
Ｒ２    ：第１レンズＬ１の像側の面の中心曲率半径
Ｒ３    ：第２レンズＬ２の物体側の面の中心曲率半径
Ｒ４    ：第２レンズＬ２の像側の面の中心曲率半径
Ｒ５    ：第３レンズＬ３の物体側の面の中心曲率半径
Ｒ６    ：第３レンズＬ３の像側の面の中心曲率半径
Ｒ７    ：第４レンズＬ４の物体側の面の中心曲率半径
Ｒ８    ：第４レンズＬ４の像側の面の中心曲率半径
Ｒ９    ：第５レンズＬ５の物体側の面の中心曲率半径
Ｒ１０  ：第５レンズＬ５の像側の面の中心曲率半径
Ｒ１１  ：第６レンズＬ６の物体側の面の中心曲率半径
Ｒ１２  ：第６レンズＬ６の像側の面の中心曲率半径
Ｒ１３  ：光学フィルターＧＦの物体側の面の中心曲率半径
Ｒ１４  ：光学フィルターＧＦの像側の面の中心曲率半径
ｄ      ：レンズの軸上厚み、レンズ間の軸上距離
ｄ０    ：絞りＳ１から第１レンズＬ１の物体側の面までの軸上距離
ｄ１    ：第１レンズＬ１の軸上厚み
ｄ２    ：第１レンズＬ１の像側の面から第２レンズＬ２の物体側の面までの軸上距離
ｄ３    ：第２レンズＬ２の軸上厚み
ｄ４    ：第２レンズＬ２の像側の面から第３レンズＬ３の物体側の面までの軸上距離
ｄ５    ：第３レンズＬ３の軸上厚み
ｄ６    ：第３レンズＬ３の像側の面から第４レンズＬ４の物体側の面までの軸上距離
ｄ７    ：第４レンズＬ４の軸上厚み
ｄ８    ：第４レンズＬ４の像側の面から第５レンズＬ５の物体側の面までの軸上距離
ｄ９    ：第５レンズＬ５の軸上厚み
ｄ１０  ：第５レンズＬ５の像側の面から第６レンズＬ６の物体側の面までの軸上距離
ｄ１１  ：第６レンズＬ６の軸上厚み
ｄ１２  ：第６レンズＬ６の像側の面から光学フィルターＧＦの物体側の面までの軸上距離
ｄ１３  ：光学フィルターＧＦの軸上厚み
ｄ１４  ：光学フィルターＧＦの像側の面から像面Ｓｉまでの軸上距離
ｎｄ    ：ｄ線の屈折率
ｎｄ１  ：第１レンズＬ１のｄ線の屈折率
ｎｄ２  ：第２レンズＬ２のｄ線の屈折率
ｎｄ３  ：第３レンズＬ３のｄ線の屈折率
ｎｄ４  ：第４レンズＬ４のｄ線の屈折率
ｎｄ５  ：第５レンズＬ５のｄ線の屈折率
ｎｄ６  ：第６レンズＬ６のｄ線の屈折率
ｎｄｇ  ：光学フィルターＧＦのｄ線の屈折率
ｖｄ    ：アッベ数
ｖ１    ：第１レンズＬ１のアッベ数
ｖ２    ：第２レンズＬ２のアッベ数
ｖ３    ：第３レンズＬ３のアッベ数
ｖ４    ：第４レンズＬ４のアッベ数
ｖ５    ：第５レンズＬ５のアッベ数
ｖ６    ：第６レンズＬ６のアッベ数
ｖｇ    ：光学フィルターＧＦのアッベ数
【００５９】
表２は、本発明の第１実施形態に係る撮像光学レンズ１０における各レンズの非球面のデータを示す。
【００６０】
【表２】
0006978575.tif 000003
【００６１】
ここで、ｋは円錐係数であり、Ａ４、Ａ６、Ａ８、Ａ１０、Ａ１２、Ａ１４、Ａ１６、Ａ１８、Ａ２０は非球面係数である。
ｙ＝（ｘ２／Ｒ）／｛１＋［１−（ｋ＋１）（ｘ２／Ｒ２）］１／２｝＋Ａ４ｘ４＋Ａ６ｘ６＋Ａ８ｘ８＋Ａ１０ｘ１０＋Ａ１２ｘ１２＋Ａ１４ｘ１４＋Ａ１６ｘ１６＋Ａ１８ｘ１８＋Ａ２０ｘ２０                                      （１）
【００６２】
ここで、ｘは非球面曲線上の点と光軸との垂直距離であり、ｙは非球面深さ（非球面における光軸から離れた距離がｘである点と、非球面光軸上の頂点に接する接平面との垂直距離）である。
【００６３】
各レンズ面の非球面は、便宜上、上記式（１）で表される非球面を使用しているが、本発明は、この式（１）の非球面多項式に限定されるものではない。
【００６４】
表３、表４は、本発明の第１実施形態に係る撮像光学レンズ１０における各レンズの変曲点及び停留点の設定データを示す。ここで、Ｐ１Ｒ１、Ｐ１Ｒ２は、それぞれ第１レンズＬ１の物体側の面と像側の面を示し、Ｐ２Ｒ１、Ｐ２Ｒ２は、それぞれ第２レンズＬ２の物体側の面と像側の面を示し、Ｐ３Ｒ１、Ｐ３Ｒ２は、それぞれ第３レンズＬ３の物体側の面と像側の面を示し、Ｐ４Ｒ１、Ｐ４Ｒ２は、それぞれ第４レンズＬ４の物体側の面と像側の面を示し、Ｐ５Ｒ１、Ｐ５Ｒ２は、それぞれ第５レンズＬ５の物体側の面と像側の面を示し、Ｐ６Ｒ１、Ｐ６Ｒ２は、それぞれ第６レンズＬ６の物体側の面と像側の面を示す。また、「変曲点位置」欄の対応するデータは、各レンズの表面に設けられた変曲点から撮像光学レンズ１０の光軸までの垂直距離であり、「停留点位置」欄の対応するデータは、各レンズの表面に設けられた停留点から撮像光学レンズ１０の光軸までの垂直距離である。
【００６５】
【表３】
0006978575.tif 000004
【００６６】
【表４】
0006978575.tif 000005
【００６７】
図２、図３は、それぞれ波長６５０ｎｍ、６１０ｎｍ、５５５ｎｍ、５１０ｎｍ、４７０ｎｍ及び４３５ｎｍの光が第１実施形態に係る撮像光学レンズ１０を通った後の球面収差及び倍率色収差を示す図である。図４は、波長５５５ｎｍの光が第１実施形態に係る撮像光学レンズ１０を通った後の像面湾曲及び歪曲収差を示す図であり、図４の像面湾曲Ｓは、サジタル方向の像面湾曲であり、Ｔは、子午方向の像面湾曲である。
【００６８】
後記の表１３には、第１実施形態、第２実施形態、第３実施形態の諸数値及び関係式で規定されたパラメータに対応する値を示す。
【００６９】
表１３に示されるように、第１実施形態は、各関係式を満たしている。
【００７０】
本実施形態において、上記の撮像光学レンズ１０の入射瞳径ＥＮＰＤが４．０７０ｍｍであり、全視野の像高ＩＨが４．０００ｍｍであり、対角線方向の画角ＦＯＶが４４．００°である。これにより、上記の撮像光学レンズ１０は、大絞り、長焦点距離、極薄化の設計要件を満たすことができ、その軸上、軸外の色収差が十分に補正されて、優れた光学特性を有する。
【００７１】
（第２実施形態）
第２実施形態は、第１実施形態とほぼ同じであり、符号の意味も第１実施形態と同様であるため、異なる点のみを以下に示す。
【００７２】
図５に示されたのは、本発明の第２実施形態に係る撮像光学レンズ２０である。
【００７３】
表５、表６は、本発明の第２実施形態に係る撮像光学レンズ２０の設定データを示す。
【００７４】
【表５】
0006978575.tif 000006
【００７５】
表６は、本発明の第２実施形態に係る撮像光学レンズ２０における各レンズの非球面のデータを示す。
【００７６】
【表６】
0006978575.tif 000007
【００７７】
表７、表８は、本発明の第２実施形態に係る撮像光学レンズ２０における各レンズの変曲点及び停留点の設定データを示す。
【００７８】
【表７】
0006978575.tif 000008
【００７９】
【表８】
0006978575.tif 000009
【００８０】
図６、図７は、それぞれ波長６５０ｎｍ、６１０ｎｍ、５５５ｎｍ、５１０ｎｍ、４７０ｎｍ及び４３５ｎｍの光が第２実施形態に係る撮像光学レンズ２０を通った後の球面収差及び倍率色収差を示す図である。図８は、波長５５５ｎｍの光が第２実施形態に係る撮像光学レンズ２０を通った後の像面湾曲及び歪曲収差を示す図であり、図８の像面湾曲Ｓは、サジタル方向の像面湾曲であり、Ｔは、子午方向の像面湾曲である。
【００８１】
表１３に示されるように、第２実施形態は、各関係式を満たしている。
【００８２】
本実施形態において、上記の撮像光学レンズ２０の入射瞳径ＥＮＰＤが４．０６３ｍｍであり、全視野の像高ＩＨが４．０００ｍｍであり、対角線方向の画角ＦＯＶが４４．００°である。これにより、上記の撮像光学レンズ２０は、大絞り、長焦点距離、極薄化の設計要件を満たすことができ、その軸上、軸外の色収差が十分に補正されて、優れた光学特性を有する。
【００８３】
（第３実施形態）
第３実施形態は、第１実施形態とほぼ同じであり、符号の意味も第１実施形態と同様であるため、異なる点のみを以下に示す。
【００８４】
図９に示されたのは、本発明の第３実施形態に係る撮像光学レンズ３０である。
【００８５】
表９、表１０は、本発明の第３実施形態に係る撮像光学レンズ３０の設定データを示す。
【００８６】
【表９】
0006978575.tif 000010
【００８７】
表１０は、本発明の第３実施形態に係る撮像光学レンズ３０における各レンズの非球面のデータを示す。
【００８８】
【表１０】
0006978575.tif 000011
【００８９】
表１１、表１２は、本発明の第３実施形態に係る撮像光学レンズ３０における各レンズの変曲点及び停留点の設定データを示す。
【００９０】
【表１１】
0006978575.tif 000012
【００９１】
【表１２】
0006978575.tif 000013
【００９２】
図１０、図１１は、それぞれ波長６５０ｎｍ、６１０ｎｍ、５５５ｎｍ、５１０ｎｍ、４７０ｎｍ及び４３５ｎｍの光が第３実施形態に係る撮像光学レンズ３０を通った後の球面収差及び倍率色収差を示す図である。図１２は、波長５５５ｎｍの光が第３実施形態に係る撮像光学レンズ３０を通った後の像面湾曲及び歪曲収差を示す図であり、図１２の像面湾曲Ｓは、サジタル方向の像面湾曲であり、Ｔは、子午方向の像面湾曲である。
【００９３】
以下、上述した関係式ごとに、本実施形態における各関係式に対応する数値を表１３に示す。明らかに、本実施形態に係る撮像光学レンズ３０は上述した関係式を満たしている。
【００９４】
本実施形態において、上記の撮像光学レンズ３０の入射瞳径ＥＮＰＤが４．０４４ｍｍであり、全視野の像高ＩＨが４．０００ｍｍであり、対角線方向の画角ＦＯＶが４５．４０°である。これにより、上記の撮像光学レンズ３０は、大絞り、長焦点距離、極薄化の設計要件を満たすことができ、その軸上、軸外の色収差が十分に補正されて、優れた光学特性を有する。
【００９５】
【表１３】
0006978575.tif 000014
【００９６】
上記の各実施形態は本発明を実現するための具体的な実施形態であるが、実際の応用において、本発明の主旨及び範囲から逸脱することなく、形式及び細部に対する種々の変更を行うことができることは、当業者であれば理解できるはずである。
【要約】
【課題】本発明は、光学レンズの分野に関し、撮像光学レンズを開示する。
【解決手段】前記撮像光学レンズは、合計６枚のレンズを備え、前記６枚のレンズは、物体側から像側に向かって、順に、正の屈折力を有する第１レンズ、負の屈折力を有する第２レンズ、正の屈折力を有する第３レンズ、負の屈折力を有する第４レンズ、正の屈折力を有する第５レンズ、及び負の屈折力を有する第６レンズであり、そのうち、前記第５レンズの焦点距離をｆ５、前記第６レンズの焦点距離をｆ６、前記第４レンズの像側の面から前記第５レンズの物体側の面までの軸上距離をｄ８、前記第５レンズの像側の面から前記第６レンズの物体側の面までの軸上距離をｄ１０にしたときに、−１０．００≦ｆ６／ｆ５≦−２．５０、３．００≦ｄ８／ｄ１０≦１０．００の関係式を満たす。本発明に係る撮像光学レンズは、良好な光学性能を有し、且つ大絞り、長焦点距離、極薄化の設計要件を満たす。
【選択図】図１【図１】
0006978575.tif 000015
【図２】
0006978575.tif 000016
【図３】
0006978575.tif 000017
【図４】
0006978575.tif 000018
【図５】
0006978575.tif 000019
【図６】
0006978575.tif 000020
【図７】
0006978575.tif 000021
【図８】
0006978575.tif 000022
【図９】
0006978575.tif 000023
【図１０】
0006978575.tif 000024
【図１１】
0006978575.tif 000025
【図１２】
0006978575.tif 000026